(57)【要約】  コンテンツ記録装置は、第１の記録媒体からコンテンツと、コンテンツを再生するための既定のメニュー画面を表す既定再生補助情報を読み出す入出力手段２０１と、既定再生補助情報に係る第１の表示機構を備えており既定再生補助情報から既定メニュー画面を生成し表示する再生手段２０３と、既定メニュー画面とは別の第２の表示機構により表示される追加メニュー画面を表す追加再生補助情報を外部から取得する送受信手段２０８と、第２の記録媒体に、コンテンツ及び既定再生補助情報を書き込み、さらに、追加再生補助情報を、入出力手段２０１を介して、第２の表示機構を備えた再生装置による所定の読み出し位置に書き込む蓄積手段２０２とを備える。
2011129081.tif 000002
【特許請求の範囲】
【請求項１】
コンテンツと、前記コンテンツを再生するための既定のメニュー画面を表す第１の再生補助情報とを記録媒体に記録するコンテンツ記録装置であって、
前記コンテンツと、前記第１の再生補助情報を取得するコンテンツ取得手段と、
前記コンテンツを再生するための、前記第１の再生補助情報に係る表示機構とは別の表示機構により表示されるメニュー画面を表す第２の再生補助情報を取得する再生補助情報取得手段と、
前記記録媒体に、前記コンテンツ及び前記第１の再生補助情報を書き込み、さらに、前記別の表示機構を備えた再生装置による読み出し位置に前記第２の再生補助情報を書き込む書込手段と
を備えることを特徴とするコンテンツ記録装置。
【請求項２】
前記第２の再生補助情報に係るメニュー画面の表示処理負荷は、前記第１の再生補助情報に係るメニュー画面の表示処理負荷よりも軽い
ことを特徴とする請求項１記載のコンテンツ記録装置。
【請求項３】
前記第１の再生補助情報により表されるメニュー画面は、前記第２の再生補助情報により表されるメニュー画面よりも対話性が高く、
前記第２の再生補助情報により表されるメニュー画面は、再生可能なコンテンツの一覧を表示し、前記一覧から１のコンテンツの選択を受け付けるものであり、選択されたコンテンツを非対話的に再生させる
ことを特徴とする請求項２記載のコンテンツ記録装置。
【請求項４】
前記再生補助情報取得手段は、前記第２の再生補助情報を生成することにより取得する
ことを特徴とする請求項１記載のコンテンツ記録装置。
【請求項５】
前記再生補助情報取得手段は、さらに、１以上の再生補助情報を取得し、
前記コンテンツ記録装置は、さらに、
前記取得手段により取得された全ての再生補助情報のリストを表示する表示手段と、
前記リストから、前記記録媒体に書き込む１以上の再生補助情報を指定するユーザ指示を受け付ける受付手段とを備え、
前記書込手段は、さらに、前記選択された再生補助情報を前記記録媒体に書き込む
ことを特徴する請求項１記載のコンテンツ記録装置。
【請求項６】
前記コンテンツ取得手段は、さらに、1以上のコンテンツを取得し、
前記コンテンツ記録装置は、さらに、
取得された全コンテンツのフォーマットを確認するフォーマット確認手段と、
同一フォーマットのコンテンツについて、各コンテンツに利用条件が付されていたか否かに関わらず、１の新たな利用条件に統一して管理する管理手段と
を備えることを特徴とする請求項１記載のコンテンツ記録装置。
【請求項７】
コンテンツと、前記コンテンツを再生するための既定のメニュー画面を表す第１の再生補助情報とを記録媒体に記録するコンテンツ記録方法であって、
前記コンテンツと、前記第１の再生補助情報を取得するコンテンツ取得ステップと、
前記コンテンツを再生するための、前記第１の再生補助情報に係る表示機構とは別の表示機構により表示されるメニュー画面を表す第２の再生補助情報を取得する再生補助情報取得ステップと、
前記記録媒体に、前記コンテンツ及び前記第１の再生補助情報を書き込み、さらに、前記別の表示機構を備えた再生装置による読み出し位置に前記第２の再生補助情報を書き込む書込ステップと
を含むことを特徴とするコンテンツ記録方法。
【請求項８】
コンテンツと、前記コンテンツを再生するための既定のメニュー画面を表す第１の再生補助情報とを記録媒体に記録するコンテンツ記録装置に用いられるコンテンツ記録プログラムであって、
前記コンテンツと、前記第１の再生補助情報を取得するコンテンツ取得ステップと、
前記コンテンツを再生するための、前記第１の再生補助情報に係る表示機構とは別の表示機構により表示されるメニュー画面を表す第２の再生補助情報を取得する再生補助情報取得ステップと、
前記記録媒体に、前記コンテンツ及び前記第１の再生補助情報を書き込み、さらに、前記別の表示機構を備えた再生装置による読み出し位置に前記第２の再生補助情報を書き込む書込ステップと
を含むことを特徴とするコンテンツ記録プログラム。
【請求項９】
コンテンツと、前記コンテンツを再生するための既定のメニュー画面を表す第１の再生補助情報とを記録媒体に記録するコンテンツ記録装置に用いられるコンテンツ記録プログラムを記憶するコンピュータ読み出し可能な記録媒体であって、
前記コンテンツ記録プログラムは、
前記コンテンツと、前記第１の再生補助情報を取得するコンテンツ取得ステップと、
前記コンテンツを再生するための、前記第１の再生補助情報に係る表示機構とは別の表示機構により表示されるメニュー画面を表す第２の再生補助情報を取得する再生補助情報取得ステップと、
前記記録媒体に、前記コンテンツ及び前記第１の再生補助情報を書き込み、さらに、前記別の表示機構を備えた再生装置による読み出し位置に前記第２の再生補助情報を書き込む書込ステップと
を含むことを特徴とする記録媒体。
【請求項１０】
コンテンツと、前記コンテンツを再生するための既定のメニュー画面を表す第１の再生補助情報とを記録媒体に記録する集積回路であって、
前記コンテンツと、前記第１の再生補助情報を取得するコンテンツ取得手段と、
前記コンテンツを再生するための、前記第１の再生補助情報に係る表示機構とは別の表示機構により表示されるメニュー画面を表す第２の再生補助情報を取得する再生補助情報取得手段と、
前記記録媒体に、前記コンテンツ及び前記第１の再生補助情報を書き込み、さらに、前記別の表示機構を備えた再生装置による読み出し位置に前記第２の再生補助情報を書き込む書込手段と
を備えることを特徴とする集積回路。
【請求項１１】
コンテンツ記録装置と、再生装置とから成るコンテンツ記録再生システムであって、
前記コンテンツ記録装置は、
前記コンテンツと、前記コンテンツを再生するための既定のメニュー画面を表す第１の再生補助情報を取得するコンテンツ取得手段と、
前記コンテンツを再生するための、前記第１の再生補助情報に係る表示機構とは別の表示機構により表示されるメニュー画面を表す第２の再生補助情報を取得する再生補助情報取得手段と、
前記記録媒体に、前記コンテンツ及び前記第１の再生補助情報を書き込み、さらに、前記再生装置による読み出し位置に前記第２の再生補助情報を書き込む書込手段と
を備え、
前記再生装置は、前記別の表示機構を備え、前記記録媒体の前記読み出し位置から前記第２の再生補助情報を読み出して、読み出した第２の再生補助情報により表されるメニュー画面を表示する
ことを特徴とするコンテンツ記録再生システム。
【発明の詳細な説明】
【技術分野】
【０００１】
本発明は、コンテンツ記録装置に保持されているデジタルコンテンツを、記録媒体に書き込んで持ち出す技術に関し、特に、持ち出されたコンテンツの再生に関する。
【背景技術】
【０００２】
近年、デジタルコンテンツ（以下、「コンテンツ」という。）を大容量のブルーレイディスクに記録したパッケージメディア（ｐａｃｋａｇｅ  ｍｅｄｉａ）が市場で広く流通している。これらのパッケージメディアには、コンテンツの起動をユーザに促すためなどに用いられる、ＤＶＤ（Ｄｉｇｉｔａｌ  Ｖｅｒｓａｔｉｌｅ  Ｄｉｓｃ）−ＶＩＤＥＯなどのものと比べて表現力が豊かで高いインタラクティブ性を有する高度なメニュー画面が採用されている。通常は、再生装置がパッケージメディアからコンテンツとメニュー画面を生成するための情報（再生補助情報）を読み出し、読み出した情報に基づきメニュー画面を表示し、メニュー画面を参照しながら入力されるユーザ操作に従いコンテンツを再生することになる。一方、他の態様として、再生装置によって、読み出されたコンテンツと再生補助情報とが一旦内蔵ＨＤＤ（Ｈａｒｄ  Ｄｉｓｃ  Ｄｒｉｖｅ）に保持され、その後、他の可搬型の記録媒体等に保護（暗号化等）方式の整合を図りつつ記録され、持ち出される場合がある（特許文献１参照）。可搬型の記録媒体等を用いて持ち出されたコンテンツ等は、情報処理端末等により再生されることになる。
【先行技術文献】
【特許文献】
【０００３】
【特許文献１】特開２００４−３１１０００号公報
【発明の概要】
【発明が解決しようとする課題】
【０００４】
ところで、情報処理端末においては、特に可搬型の場合などは低消費電力化が求められることから、据置型の再生装置と比較して情報処理能力が総じて低く抑えられており、高度なメニュー画面を実現するＪＡＶＡ（登録商標）実行環境など要求される処理能力が高い表示機構を備えない場合が多い。【０００５】
この場合、前述のコンテンツと再生補助情報とが記録された可搬型の記録媒体を、再生装置で再生する場合には再生補助情報に基づきメニュー画面を表示することができるが、処理能力の低い情報処理端末で再生する場合にはメニュー画面を表示させることができず、メニュー画面を参照しながらユーザ操作するという簡易な手順でコンテンツを再生することができないという問題がある。
【課題を解決するための手段】
【０００６】
上記課題を解決するために、本発明の一実施態様であるコンテンツ記録装置は、コンテンツと、前記コンテンツを再生するための既定のメニュー画面を表す第１の再生補助情報とを記録媒体に記録するコンテンツ記録装置であって、前記コンテンツと、前記第１の再生補助情報を取得するコンテンツ取得手段と、前記コンテンツを再生するための、前記第１の再生補助情報に係る表示機構とは別の表示機構により表示されるメニュー画面を表す第２の再生補助情報を取得する再生補助情報取得手段と、前記記録媒体に、前記コンテンツ及び前記第１の再生補助情報を書き込み、さらに、前記別の表示機構を備えた再生装置による読み出し位置に前記第２の再生補助情報を書き込む書込手段とを備える。
【発明の効果】
【０００７】
本発明の一実施態様であるコンテンツ記録装置は、上述の構成を備えることにより、既定のメニュー画面を表示するための表示機構を備えない再生装置においても、追加再生補助情報による追加メニュー画面を用いて容易にコンテンツの再生ができるようコンテンツを記録媒体に記録することができる。【０００８】
例えば、低消費電力化が求められるために据置型の再生装置と比較して情報処理能力が総じて低く抑えられている可搬型の情報処理端末などが、高度なメニュー画面を実現するＪＡＶＡ実行環境など要求される処理能力が高い表示機構を備えず、簡易な表示機構を備えている場合であっても、簡易な表示機構に対応した追加再生補助情報による追加メニュー画面を表示することで、ユーザは容易にコンテンツの再生が可能となり、ユーザにとっての利便性が向上する。
【図面の簡単な説明】
【０００９】
【図１】本発明の一実施の形態に係るコンテンツ提供システムの構成を示すブロック図。
【図２】本発明の一実施の形態に係る再生／記録装置の構成を示すブロック図。
【図３】本発明の一実施の形態に係る再生装置の構成を示すブロック図。
【図４】本発明の一実施の形態に係る記録媒体に記録されているコンテンツを内蔵ＨＤＤに記録する処理を示すフローチャート。
【図５】本発明の一実施の形態に係るＨＤＤに記録されているコンテンツを記録媒体に書き込む処理を示すフローチャート。
【図６】本発明の一実施の形態に係る記録媒体に記録されているコンテンツの再生処理を示すフローチャート。
【図７】本発明の一実施の形態に係る再生／記録装置の機能を実現するＬＳＩの構成を示す図。
【図８】（ａ）は、本発明の一実施の形態に係る読み出し元の記録媒体に記録されているデータ構成の一例を示す図。（ｂ）は、本発明の一実施の形態に係る持ち出し用の記録媒体に記録されたデータ構成の一例を示す図。
【図９】本発明の一実施の形態に係るＨＤＤ２１７に記録されたデータを模式的に表す図。
【図１０】本発明の一実施の形態に係る利用条件情報の一例を示す図。
【図１１】本発明の一実施の形態に係る既定メニュー画面の一例を表す図。
【図１２】本発明の一実施の形態に係る追加メニュー画面の一例を表す図。
【発明を実施するための形態】
【００１０】
本発明の一実施態様であるコンテンツ記録装置は、コンテンツと、前記コンテンツを再生するための既定のメニュー画面を表す第１の再生補助情報とを記録媒体に記録するコンテンツ記録装置であって、前記コンテンツと、前記第１の再生補助情報を取得するコンテンツ取得手段と、前記コンテンツを再生するための、前記第１の再生補助情報に係る表示機構とは別の表示機構により表示されるメニュー画面を表す第２の再生補助情報を取得する再生補助情報取得手段と、前記記録媒体に、前記コンテンツ及び前記第１の再生補助情報を書き込み、さらに、前記別の表示機構を備えた再生装置による読み出し位置に前記第２の再生補助情報を書き込む書込手段とを備える。
【００１１】
また、前記第２の再生補助情報に係るメニュー画面の表示処理負荷は、前記第１の再生補助情報に係るメニュー画面の表示処理負荷よりも軽いこととしてもよい。
【００１２】
この構成によれば、既定のメニュー画面を表示するよりも、負荷の軽い表示処理しかできない再生装置においても、容易にコンテンツの再生ができるよう、追加再生補助情報による追加メニュー画面を表示させることができる。
【００１３】
また、前記第１の再生補助情報により表されるメニュー画面は、前記第２の再生補助情報により表されるメニュー画面よりも対話性が高く、前記第２の再生補助情報により表されるメニュー画面は、再生可能なコンテンツの一覧を表示し、前記一覧から１のコンテンツの選択を受け付けるものであり、選択されたコンテンツを非対話的に再生させることとしてもよい。
【００１４】
この構成によれば、再生装置において、再生させるコンテンツの選択にあたり、既定のメニュー画面よりも対話性の低い簡素なメニュー画面を用い、再生装置に与える負荷を低減しつつコンテンツを再生させることができる。
【００１５】
また、前記再生補助情報取得手段は、前記第２の再生補助情報を生成することにより取得することとしてもよい。
【００１６】
この構成によれば、ネットワーク等への接続環境を有しない場合であっても、追加再生補助情報を得て、追加メニュー画面を表示させることができる。
【００１７】
また、前記再生補助情報取得手段は、さらに、１以上の再生補助情報を取得し、前記コンテンツ記録装置は、さらに、前記取得手段により取得された全ての再生補助情報のリストを表示する表示手段と、前記リストから、前記記録媒体に書き込む１以上の再生補助情報を指定するユーザ指示を受け付ける受付手段とを備え、前記書込手段は、さらに、前記選択された再生補助情報を前記記録媒体に書き込むこととしてもよい。
【００１８】
この構成によれば、記録媒体に記録されたコンテンツを再生するにあたり、再生装置がメニュー画面を表示できる確率を高めることができる。
【００１９】
また、前記コンテンツ取得手段は、さらに、1以上のコンテンツを取得し、前記コンテンツ記録装置は、さらに、取得された全コンテンツのフォーマットを確認するフォーマット確認手段と、同一フォーマットのコンテンツについて、各コンテンツに利用条件が付されていたか否かに関わらず、１の新たな利用条件に統一して管理する管理手段とを備えることとしてもよい。
【００２０】
この構成によれば、コンテンツについての利用条件を個別に認識することなく、統一した利用条件に従いコンテンツを利用させることができ、ユーザにとっての利便性を向上させることができる。
【００２１】
また、本発明の一実施態様に係るコンテンツ記録方法は、コンテンツと、前記コンテンツを再生するための既定のメニュー画面を表す第１の再生補助情報とを記録媒体に記録するコンテンツ記録方法であって、前記コンテンツと、前記第１の再生補助情報を取得するコンテンツ取得ステップと、前記コンテンツを再生するための、前記第１の再生補助情報に係る表示機構とは別の表示機構により表示されるメニュー画面を表す第２の再生補助情報を取得する再生補助情報取得ステップと、前記記録媒体に、前記コンテンツ及び前記第１の再生補助情報を書き込み、さらに、前記別の表示機構を備えた再生装置による読み出し位置に前記第２の再生補助情報を書き込む書込ステップとを含む。
【００２２】
また、本発明の一実施態様に係るコンテンツ記録プログラムは、コンテンツと、前記コンテンツを再生するための既定のメニュー画面を表す第１の再生補助情報とを記録媒体に記録するコンテンツ記録装置に用いられるコンテンツ記録プログラムであって、前記コンテンツと、前記第１の再生補助情報を取得するコンテンツ取得ステップと、前記コンテンツを再生するための、前記第１の再生補助情報に係る表示機構とは別の表示機構により表示されるメニュー画面を表す第２の再生補助情報を取得する再生補助情報取得ステップと、前記記録媒体に、前記コンテンツ及び前記第１の再生補助情報を書き込み、さらに、前記別の表示機構を備えた再生装置による読み出し位置に前記第２の再生補助情報を書き込む書込ステップとを含む。
【００２３】
また、本発明の一実施態様に係る記録媒体は、コンテンツと、前記コンテンツを再生するための既定のメニュー画面を表す第１の再生補助情報とを記録媒体に記録するコンテンツ記録装置に用いられるコンテンツ記録プログラムを記憶するコンピュータ読み出し可能な記録媒体であって、前記コンテンツ記録プログラムは、前記コンテンツと、前記第１の再生補助情報を取得するコンテンツ取得ステップと、前記コンテンツを再生するための、前記第１の再生補助情報に係る表示機構とは別の表示機構により表示されるメニュー画面を表す第２の再生補助情報を取得する再生補助情報取得ステップと、前記記録媒体に、前記コンテンツ及び前記第１の再生補助情報を書き込み、さらに、前記別の表示機構を備えた再生装置による読み出し位置に前記第２の再生補助情報を書き込む書込ステップとを含む。
【００２４】
また、本発明の一実施態様に係る集積回路は、コンテンツと、前記コンテンツを再生するための既定のメニュー画面を表す第１の再生補助情報とを記録媒体に記録する集積回路であって、前記コンテンツと、前記第１の再生補助情報を取得するコンテンツ取得手段と、前記コンテンツを再生するための、前記第１の再生補助情報に係る表示機構とは別の表示機構により表示されるメニュー画面を表す第２の再生補助情報を取得する再生補助情報取得手段と、前記記録媒体に、前記コンテンツ及び前記第１の再生補助情報を書き込み、さらに、前記別の表示機構を備えた再生装置による読み出し位置に前記第２の再生補助情報を書き込む書込手段とを備える。
【００２５】
また、本発明の一実施態様に係るコンテンツ記録再生システムは、コンテンツ記録装置と、再生装置とから成るコンテンツ記録再生システムであって、前記コンテンツ記録装置は、前記コンテンツと、前記コンテンツを再生するための既定のメニュー画面を表す第１の再生補助情報を取得するコンテンツ取得手段と、前記コンテンツを再生するための、前記第１の再生補助情報に係る表示機構とは別の表示機構により表示されるメニュー画面を表す第２の再生補助情報を取得する再生補助情報取得手段と、前記記録媒体に、前記コンテンツ及び前記第１の再生補助情報を書き込み、さらに、前記再生装置による読み出し位置に前記第２の再生補助情報を書き込む書込手段とを備え、前記再生装置は、前記別の表示機構を備え、前記記録媒体の前記読み出し位置から前記第２の再生補助情報を読み出して、読み出した第２の再生補助情報により表されるメニュー画面を表示する。
【００２６】
この構成によれば、既定のメニュー画面を表示するための表示機構を備えない再生装置においても、追加再生補助情報による追加メニュー画面を用いて容易にコンテンツの再生ができるようコンテンツを記録媒体に記録することができる。例えば、低消費電力化が求められるために据置型の再生装置と比較して情報処理能力が総じて低く抑えられている可搬型の情報処理端末などが、高度なメニュー画面を実現するＪＡＶＡ実行環境など要求される処理能力が高い表示機構を備えず、簡易な表示機構を備えている場合であっても、簡易な表示機構に対応した追加再生補助情報による追加メニュー画面を表示することで、ユーザは容易にコンテンツの再生が可能となり、ユーザにとっての利便性が向上する。
【００２７】
以下、本発明の一実施形態について、図面を参照しながら説明する。
【００２８】
１．構成
１．１．コンテンツ提供システムの概略
図１は、本発明の一実施形態に係るコンテンツ提供システムの構成を示す図である。
【００２９】
本発明の一実施形態に係るコンテンツ提供システムは、図１に示すように、コンテンツ制作装置１０１、ディスク製造装置１０２、コンテンツ配信装置１０３、記録媒体１０４、再生／記録装置１０５、記録媒体１０６、記録媒体１０７、再生装置１０８及び再生装置１０９から構成される。
【００３０】
コンテンツ制作装置１０１は、映画会社などによって、コンテンツの素材として撮影された動画像、音声などを編集、加工、データ圧縮などしてコンテンツを制作する装置である。また、コンテンツ制作装置１０１は、コンテンツを再生するためのデフォルト（既定）のメニュー画面（以下、「既定メニュー画面」という。）を表す再生補助情報（以下、「既定再生補助情報」という。）を生成する。そして、生成したコンテンツ及び既定再生補助情報を、ディスク製造装置１０２及びコンテンツ配信装置１０３に提供する。本実施形態では、既定メニュー画面は、ＢＤ−Ｊ（Ｂｌｕ-ｒａｙ  Ｄｉｓｃ  Ｊａｖａ）（登録商標）仕様に基づいており、Ｊａｖａにより、複雑な動画処理、ネットワーク連携などを始めとした高度なインタラクティブ機能がプログラミングされているものとする。この既定メニュー画面は、Ｊａｖａプログラムを解釈できる表示機構を備え、かつ高い情報処理能力を有する再生装置によってのみ表示される。
【００３１】
図１１は、既定メニュー画面としてディスプレイに表示される画像の一例を表す図である。
【００３２】
既定メニュー画面１１０１は、背景となる動画１１０２の上に、タイトル１１０３「アルバム」が重ねられ、ユーザ操作によりカーソル１１１１を動かして「全編再生」「プレイリスト表示」「検索」などから所望の操作をユーザに選択させるメニュー１１１０が重ねられ、さらに、サムネール動画像として画像１１０４〜１１０６等が重ねて表示されている。
【００３３】
既定メニュー画面１１０１は、以上のような高度なメニューを表し、インタラクティブ（対話）性が高く、ユーザが様々な操作を選択して、実行させることができる。
【００３４】
コンテンツ制作装置１０１は、制作したコンテンツ及び既定再生補助情報を、ディスク製造装置１０２及びコンテンツ配信装置１０３に提供する。
【００３５】
ディスク製造装置１０２は、パッケージングソフトを製造する装置である。具体的には、ディスク製造装置１０２は、コンテンツ制作装置１０１からコンテンツと既定再生補助情報とを受信して、記録用ディスクについての所定の著作権保護方式（以下、「保護方式」という。）に従って暗号化し、記録用ディスクである記録媒体１０４に記録することでパッケージングソフトを製造する。本実施の形態では、記録媒体１０４は、一例として、Ｂｌｕ-ｒａｙディスク（登録商標）であるとする。
【００３６】
ここで、保護方式は、例えば、暗号アルゴリズムや、鍵の暗号化スキームなどコンテンツ等を保護するための方式であり、記録先の記録媒体の種類に応じて定めるものとする。本実施形態では、記録先がＢＤの場合には保護方式をＡＡＣＳ（Ａｄｖａｎｃｅｄ  Ａｃｃｅｓｓ  Ｃｏｎｔｅｎｔ  Ｓｙｓｔｅｍ）とし、ＳＤカード、ＤＶＤの場合にはＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）とし、ＨＤＤの場合にはＡＥＳ（Ａｄｖａｎｃｅｄ  Ｅｎｃｒｙｐｔｉｏｎ  Ｓｔａｎｄａｒｄ）とする。
【００３７】
コンテンツ配信装置１０３は、コンテンツの配信サービスを提供するサーバ装置である。コンテンツ配信装置１０３は、コンテンツ制作装置１０１からコンテンツ及び既定再生補助情報を受信し、受信したコンテンツ及び既定再生補助情報を、配信サービスについて予め定められている保護方式を用いて再生／記録装置１０５へ送信する。
【００３８】
また、コンテンツ配信装置１０３は、コンテンツ及び既定再生補助情報を送信する場合に、コンテンツの一部又は全部に利用条件を示す利用条件情報を付加して送信する。この利用条件情報は、コンテンツの利用を制限するための情報であり、配信サービスについて予め定められているものである。利用条件情報は、例えば、コンテンツの使用可能期間、コピー可能回数、個々のコンテンツの持ち出し可否、持ち出し許可回数のうちの１以上を含む。利用条件情報は、コンテンツを再生する再生装置側でコンテンツの再生可否の判定に用いられる。
【００３９】
また、コンテンツ配信装置１０３は、コンテンツ制作装置１０１から受信した既定再生補助情報の他に、受信したコンテンツに対応する再生補助情報（以下、「追加再生補助情報」という。）を独自に生成する。そして、生成した追加再生補助情報を、再生／記録装置１０５に配信する。追加再生補助情報に基づき表示されるメニュー画面（以下、「追加メニュー画面」）は、既定メニュー画面よりも簡素なメニュー画面であり、表示するのにＪａｖａ実行環境を必要とせず、表示処理負荷も小さい。すなわち、追加メニュー画面は、簡易な表示機構を有する情報処理端末等により表示可能なものとする。
【００４０】
図１２は、追加メニュー画面の一例を表す図である。
【００４１】
追加メニュー画面に係る画像１２０１は、単に、再生可能なコンテンツのリストを表示する画像である。画像１２０１では、各コンテンツについて、コンテンツ名と、そのコンテンツについての利用に関する情報を表示している。利用に関する情報は、ここでは、残使用可能期間（月）、残コピー可能回数、持ち出し可否、残持ち出し回数である。また、画像１２０１に重ね合わされ、コンテンツを選択するためのカーソル１２０２が表示されており、ユーザ操作によりカーソル１２０２が動かされて、リストからコンテンツが選択される。追加メニュー画面は、このように選択されたコンテンツを非対話的に再生させる、或いは、コピーや持ち出しを行うというような簡易なものである。なお、画像１２０１は、利用に関する情報を表示せずに、単にコンテンツ名だけを並べたリストとしてもよい。或いは、利用に関する情報の一部を表示するものとしてもよい。また、本実施形態では、追加再生補助情報は、ＨＤＭＶ仕様に基づくものとする。なお、ＨＤＭＶは、ナビゲーションコマンドを組み合わせて構成され、比較的容易に作成可能であるが、ＢＤ−Ｊに比べメニュー構成などに制限が多く、作成できるメニュー画面は簡素である。なお、ここでは、追加メニュー画面は、既定メニュー画面よりも簡易なメニュー画面としているが、これに限らず、既定メニュー画面よりもさらに高度なメニュー画面であってもよい。
【００４２】
再生／記録装置１０５は、コンテンツを記録、再生する装置である。再生／記録装置１０５は、記録媒体１０４から記録されているコンテンツ、既定再生補助情報を読み出して内蔵するＨＤＤに記録する。また、再生／記録装置１０５は、コンテンツ配信装置１０３により配信されるコンテンツ、既定再生補助情報を受信してＨＤＤに記録する。
【００４３】
また、再生／記録装置１０５は、記録媒体１０４から読み出した、又は、コンテンツ配信装置１０３により配信されたコンテンツについての追加再生補助情報をコンテンツ配信装置１０３から取得し、ＨＤＤに記録しておく。そして、再生／記録装置１０５は、記録媒体１０６及び記録媒体１０７に、コンテンツ、既定再生補助情報などに加え、追加再生補助情報を記録する。
【００４４】
これにより、記録媒体１０６、記録媒体１０７に記録しているコンテンツは、既定再生補助情報を処理できる再生装置だけでなく、追加再生補助情報のみ処理できる簡易な表示機構を備えた再生装置によってもメニュー画面を用いたコンテンツの再生ができるので、ユーザにとっての利便性が増す。
【００４５】
再生／記録装置１０５は、ＨＤＤに記録したコンテンツの再生も行う。
【００４６】
記録媒体１０６は、例えば、ＳＤカードなど記録可能なフラッシュメモリーであり、コンテンツ及び再生補助情報が、記録媒体１０６に適した保護方式に従って暗号化等した上で記録される。
【００４７】
記録媒体１０７は、例えば、ＤＶＤなど記録可能な光ディスクであり、コンテンツ及び再生補助情報が、記録媒体１０７に適した保護方式に従って暗号化等した上で記録される。
【００４８】
再生装置１０８は、記録媒体１０６の読み出し機構を有し、記録媒体１０６に記録されている暗号化コンテンツを復号し、再生する。
【００４９】
再生装置１０９は、記録媒体１０７の読み出し機構を有し、記録媒体１０７に記録されている暗号化コンテンツを復号し、再生する。
【００５０】
以下、各構成について詳細に説明する。
【００５１】
１．２．再生／記録装置１０５
図２は、再生／記録装置１０５の構成を示すブロック図である。
【００５２】
再生／記録装置１０５は、図２に示すように、コンテンツ取得手段及び書込手段としての入出力手段２０１及び蓄積手段２０２、再生手段２０３、表示手段２０４、利用条件保持手段２０５、受付手段としてのユーザ入力受付手段２０６、持ち出し可否判断手段２０７、再生補助情報取得手段としての送受信手段２０８及び再生補助情報生成手段２１５、復号手段２０９、保護方式決定手段２１０、暗号化手段２１１、記録媒体識別手段２１２、フォーマット確認手段２１３、管理手段２１４、制御手段２１６及びＨＤＤ２１７から構成される。
【００５３】
表示手段２０４は、ディスプレイ及びその表示制御部（図示せず）を含む。
【００５４】
入出力手段２０１は、複数種類の記録媒体等についての読み出し機構及び書き込み機構を備えており、これらの記録媒体等についてのデータの読み出し、書き込みを行う。
【００５５】
具体的には、入出力手段２０１は、記録媒体１０４から、記録媒体１０４に記録されている暗号化されたコンテンツ及び再生補助情報全てを読み出す。
【００５６】
図８（ａ）は、記録媒体１０４に記録されているデータの構成の一例を示す図である。
【００５７】
ＢＤＭＶフォルダ８０１の中に、ＳＴＲＥＡＭフォルダ８０２、ＪＡＲフォルダ８０３が設けられている。コンテンツは、ＳＴＲＥＡＭフォルダ８０２に記録される。本実施形態では、コンテンツは、ａａａ．ｍ２ｔｓ（８０４）である。また、ＪＡＲフォルダ８０３には、ＪＡＶＡファイルが記録され、本実施形態では、ｈｈｈ．ｊａｒ（８０５）である。このＪＡＶＡファイルが、上述の既定再生補助情報にあたり、再生装置においては、ｈｈｈ．ｊａｒを実行することで、既定メニュー画面の表示がされる。また、ＢＤＭＶフォルダ８０１にＭｏｖｉｅＯｂｊｅｃｔ．ｂｄｍｖ（Ｅｍｐｔｙ）（８０６）が記録されている。ＭｏｖｉｅＯｂｊｅｃｔ．ｂｄｍｖは、既定メニュー画面よりも簡素なメニュー画面を表示するための情報である。本実施形態では、ＭｏｖｉｅＯｂｊｅｃｔ．ｂｄｍｖは、記録媒体１０４には仕様上の制限から必ず記録されているとする。ＪＡＶＡフォルダに既定メニュー画面を表示するための既定再生補助情報が記録されている場合には、ＭｏｖｉｅＯｂｊｅｃｔ．ｂｄｍｖは空のファイル（０バイト）になっている。
【００５８】
図８（ａ）の場合、入出力手段２０１は、記録媒体１０４から、ａａａ．ｍ２ｔｓ、ｈｈｈ．ｊａｒ、ＭｏｖｉｅＯｂｊｅｃｔ．ｂｄｍｖ（Ｅｍｐｔｙ）を読み出すことになる。
【００５９】
また、入出力手段２０１は、他種の記録媒体からも記録媒体１０４の場合と同様に暗号化コンテンツ及び再生補助情報全てを読み出す。ここで、他種の記録媒体には、ＤＶＤディスク、ＳＤカードなどの場合がある。
【００６０】
蓄積手段２０２は、入出力手段２０１により読み出されたコンテンツ及び再生補助情報をＨＤＤ２１７に記録する。また、蓄積手段２０２は、後述の送受信手段２０８が取得する暗号化コンテンツ及び再生補助情報の全てについても、ＨＤＤ２１７に記録する。また、蓄積手段２０２は、ＨＤＤ２１７に記録されている暗号化コンテンツ及び再生補助情報を、入出力手段２０１を介して記録媒体１０６、記録媒体１０７など他の記録媒体に記録する。このとき、再生補助情報は、記録媒体１０６、記録媒体１０７の所定の読み出し位置に書き込むものとする。
【００６１】
図８（ｂ）は、記録媒体１０６に記録されたデータ構成の一例を示す図である。
【００６２】
記録媒体１０６には、ＢＤＭＶフォルダ８１１を設け、その中にＳＴＲＥＡＭフォルダ８１２、ＪＡＲフォルダ８１３が設けられている。コンテンツは、ＳＴＲＥＡＭフォルダ８１２に記録される。本実施形態では、コンテンツとして、ａａａ．ｍ２ｔｓ（８１４）が書き込まれている。また、ＪＡＲフォルダ８１３には、記録媒体１０４に記録されていたＪＡＶＡファイルであるｈｈｈ．ｊａｒ（８１５）が書き込まれている。このｈｈｈ．ｊａｒが上述の既定再生補助情報にあたる。また、ＪＡＲフォルダ８１３には、記録媒体１０４に記録されていいないｍｍｍ．ｊａｒ（８１６）が書き込まれている。このｍｍｍ．ｊａｒ（８１６）は、コンテンツ配信装置１０３など外部から取得した再生補助情報であり、上述の追加再生補助情報にあたる。
【００６３】
また、ＢＤＭＶフォルダ８１１には、ＭｏｖｉｅＯｂｊｅｃｔ．ｂｄｍｖ（Ｅｍｐｔｙ）ではなく、実体のあるＭｏｖｉｅＯｂｊｅｃｔ．ｂｄｍｖ（Ｎｅｗ）（８１７）が記録されている。これは、外部から取得したか、或いは、自装置内で生成した再生補助情報であり、上述の追加再生補助情報にあたる。ＭｏｖｉｅＯｂｊｅｃｔ．ｂｄｍｖ（Ｎｅｗ）を再生することで、簡易な追加メニュー画面を表示することができる。ＭｏｖｉｅＯｂｊｅｃｔ．ｂｄｍｖ（Ｎｅｗ）が、書き込まれるのは、所定の読み出し位置である。この記録媒体１０６を用いてコンテンツを再生する再生装置は、所定の読み出し位置を把握しており、まずＭｏｖｉｅＯｂｊｅｃｔ．ｂｄｍｖ（Ｎｅｗ）の再生を試みる。なお、所定の読み出し位置は、設計事項であるが、例えば、記録媒体の所定セクタ、所定アドレス、所定のフォルダなどを選択すればよい。
【００６４】
利用条件保持手段２０５は、個々のコンテンツの持ち出し可否、持ち出し回数、コピー回数、及び再生可能時間（有効期限）等々のコンテンツの利用を制限するための利用条件を示す利用条件情報を保持する。この利用条件の範囲内で、コンテンツの再生等が許可される。
【００６５】
図１０は、利用条件情報の一例を示す図である。
【００６６】
利用条件情報は、メディア種別、使用可能期間、コピー可能回数、個々のコンテンツの持ち出し可否、持ち出し回数を含む。
【００６７】
メディア種別は、コンテンツを取得した取得元のメディアの種別を示す。
【００６８】
ＢＤはＢｌｕ-ｒａｙ  Ｄｉｓｃ、ＮＷはネットワーク、ＤＶＤはＤｉｇｉｔａｌ  Ｖｅｒｓａｔｉｌｅ  Ｄｉｓｃ、ＳＤＶはＳＤ−ＶＩＤＥＯを示す。
【００６９】
使用可能期間は、コンテンツを記録先のメディアへコピーした後、使用可能な期間を示す。
【００７０】
コピー可能回数は、コンテンツをコピーできる回数を示す。
【００７１】
持ち出し可否は、コンテンツを持ち出しできるか否かを示す。
【００７２】
ここで、コンテンツの持ち出しとは、再生／記録装置本体からは、コンテンツを削除せず、単に再生できない状態にしておき、記録先のメディアへコンテンツそのものを書き出すと共にその権利情報を持ち出すことである。そして、記録先のメディアから権利情報を再生／記録装置１０５本体に書き戻すことで、オリジナルのコンテンツを再生できる状態に戻す。これにより、コンテンツの持ち出しにあたり、記録容量などの制限からコンテンツの品質を下げて記録先のメディアに書き出したとしても、記録先のメディアから権利情報を書き戻した後は、記録／再生装置１０５においては、品質を下げる前のコンテンツを再生することができる。
【００７３】
持ち出し許可回数は、コンテンツの持ち出しを許可される回数を示す。
【００７４】
この利用条件情報は、再生／記録装置１０５に対して予め設定され保持しているものである。再生／記録装置１０５は、コンテンツをあるメディアから取得すると、取得元のメディア種別に応じ、コンテンツに予め付されていた利用条件を破棄して、利用条件情報に示される新たな利用条件をその取得したコンテンツに付す。一例として、ＢＤに、元の利用条件として使用可能期間が２ヶ月と定められているコンテンツが記録されていた場合について説明する。
【００７５】
再生／記録装置１０５における入出力手段２０１によって、ＢＤからコンテンツ、既定再生補助情報が読み出され、蓄積手段２０２によりＨＤＤ２１７に記憶させる。この場合には、ＨＤＤ２１７に記憶されたコンテンツについて、元の利用条件である使用可能期間「２ヶ月」は破棄されて、図１０の利用条件情報のメディア種別がＢＤの欄に記載されたように、使用可能期間として「３ヶ月」が割り当てられる。
【００７６】
これにより、コンテンツを利用するユーザにとっては、コンテンツ個々の膨大な数に成りうる利用条件を気にする必要がなくなる。ユーザは、メディア種別毎に割り当てられた利用条件を気にしておけばよく、ユーザの利便性は向上する。
【００７７】
但し、再生／記録装置１０５により、コンテンツについて、元の利用条件から、新たな利用条件に置き換えられることについては、コンテンツの制作者、配信者等、利用条件を付したものの同意、置き換えられることを許可する旨の契約等が成されているものとする。
【００７８】
再生手段２０３は、既定再生補助情報を処理して既定メニュー画面を表示する表示機構を備える。具体的には、ＢＤ−Ｊ仕様に基づく既定再生補助情報を解釈し、解釈した既定再生補助情報により表される既定メニュー画面（例えば、既定メニュー画面１１０１など）を生成して、表示手段２０４に表示させる。
【００７９】
また、再生手段２０３は、既定メニュー画面を用いユーザ指示により選択されたコンテンツを再生する。このとき、再生手段２０３は、コンテンツの利用状況を示す利用状況情報をＨＤＤ２１７に記録し、また更新する。再生手段２０３は、コンテンツの利用状況が、前述した利用条件情報により示される利用条件を満たさなくなった場合には、コンテンツの利用を停止する。
【００８０】
利用状況情報に含まれる項目は、利用条件情報に含まれる項目に対応する。例えば、利用状況情報には、使用期間、コピー回数、持ち出し回数が含まれる。
【００８１】
ここで、使用期間は、コンテンツを記録先のメディア（ここではＨＤＤ２１７）へコピーした後、使用した期間を示す。
【００８２】
コピー回数は、コンテンツをコピーした回数を示す
持ち出し回数は、コンテンツを持ち出した回数を示す。
【００８３】
コンテンツについて利用状況情報に含まれる使用期間が、利用条件情報に含まれる使用可能期間を上回った場合には、再生手段２０３は、コンテンツの再生を停止することとなる。
【００８４】
これらの利用条件情報、利用状況情報は、コンテンツの持ち出しが行われる場合には、コンテンツと共に、持ち出しに使用する記録媒体に記録される。そして、持ち出しに使用される記録媒体を利用する再生装置等により、再生手段２０３が行ったのと同様に使用される。
【００８５】
ユーザ入力受付手段２０６は、ユーザによって、キーパッドなどの入力デバイス（図示せず）を操作することで入力されるユーザ指示を取得し、制御手段２１６に通知する。例えば、表示手段２０４により、図１１に示すような既定メニュー画像が表示されている状態において、ユーザは、キーパッドなどを操作して選択するコンテンツを指示する。ユーザ入力受付手段２０６は、ユーザが選択したコンテンツを認識し、再生手段２０３に通知する。
【００８６】
持ち出し可否判断手段２０７は、ユーザにより選択されたコンテンツが持ち出し可能か否かを利用条件保持手段２０５が保持する利用条件情報を参照して判断する。具体的には、利用条件情報の値が１の場合、持ち出し可と判断し、０の場合持ち出し不可と判断する。
【００８７】
送受信手段２０８は、コンテンツ配信装置１０３に対し、コンテンツ及びそのコンテンツについての既定再生補助情報を要求し、要求に対する応答として、要求したコンテンツ及びその既定再生補助情報を受信する。送受信手段２０８は、受信したコンテンツ及びその既定再生補助情報をＨＤＤ２１７に記録する。
【００８８】
送受信手段２０８は、さらに、ＨＤＤ２１７に記録されている各コンテンツについて、コンテンツと共に取得した既定再生補助情報とは別の追加再生補助情報をコンテンツ配信装置１０３に対し要求する。そして、送受信手段２０８は、要求に対する応答として、コンテンツ配信装置１０３から１以上の追加再生補助情報を取得する。
【００８９】
例えば、送受信手段２０８は、記録媒体１０４にＢＤ−Ｊで構成されたメニュー画面を表す既定再生補助情報しか記録されていなかったコンテンツについて、コンテンツ配信装置１０３からＨＤＭＶで構成されるメニューを表す追加再生補助情報を受信する。送受信手段２０８は、取得した追加再生補助情報を、蓄積手段２０２を介してＨＤＤ２１７に記録する。
【００９０】
復号手段２０９は、暗号化されているコンテンツを対応する保護方式に基づき復号する。
【００９１】
保護方式決定手段２１０は、記録媒体からのコンテンツの読み出し、記録媒体へのコンテンツの書き込みにあたり、その記録媒体に適した保護方式がいずれであるかを決定する。
【００９２】
暗号化手段２１１は、決定された保護方式に基づいてコンテンツを暗号化する。
【００９３】
記録媒体識別手段２１２は、記録媒体１０６、あるいは記録媒体１０７などの記録媒体の種別を判断する。一例として、記録媒体識別手段２１２は、識別対象である記録媒体がＢＤ、ＤＶＤ、ＳＤカード、ＵＳＢメモリ及びＨＤＤなどのうちいずれであるか判断する。
【００９４】
フォーマット確認手段２１３は、コンテンツのアプリケーションフォーマット（以下、単に「フォーマット」という。）を確認し、識別する。フォーマットは、例えば、ブルーレイディスクの場合はＢＤＭＶ（Ｂｌｕ-ｒａｙ  Ｄｉｓｋ  Ｍｏｖｉｅ）であり、ＤＶＤの場合はＤＶＤ−Ｖｉｄｅｏであり、ＳＤカードの場合はＳＤ−ＶＩＤＥＯである。
【００９５】
ＨＤＤ２１７は、コンテンツ等のデータを記憶する大容量のハードディスクである。
【００９６】
図９は、ＨＤＤ２１７に記録されたデータを模式的に表す図である。
【００９７】
図９中の各行が、１つのコンテンツに対応したコンテンツ情報である。各コンテンツ情報は、コンテンツの実体（ファイル）、そのコンテンツに係る１以上の再生補助情報のほか、メディア種別、タイトル、追加再生補助情報を含む。
【００９８】
メディア種別は、図１０の利用条件情報に係るメディア種別と同様である。タイトルは、コンテンツのタイトル名を示す。コンテンツは、コンテンツの実体であり、図９においては、コンテンツのファイル名を記載している。再生補助情報は、コンテンツに対応づけられている再生補助情報を示す。追加再生補助情報は、コンテンツと同時に配布される既定再生補助情報とは異なる、コンテンツの配布後に追加された再生補助情報を示す。
【００９９】
ここで、タイトルが「ａａａ」のコンテンツ情報（以下、「コンテンツ情報ａ」という。）を例に具体的に説明する。
【０１００】
図９において、タイトルが「ａａａ」のコンテンツの実体は、ファイル名が「ａａａ．ｍ２ｔｓ」のファイル（ａａａ．ｍ２ｔｓ）である。また、メディア種別が「ＢＤ」、再生補助情報が「ｈｈｈ．ｊａｒ、ＭｏｖｉｅＯｂｊｅｃｔ．ｂｄｍｖ（Ｅｍｐｔｙ）」であることから、コンテンツａａａ．ｍ２ｔｓは、元々は、既定再生補助情報であるｈｈｈ．ｊａｒとＭｏｖｉｅＯｂｊｅｃｔ．ｂｄｍｖ（Ｅｍｐｔｙ）と共にＢＤに記録されており（以下、タイトルが「ａａａ」のコンテンツが記録されていたＢＤを「ＢＤａ」という。）、ＢＤａから読み出されてＨＤＤ２１７に記録されたものである。ここで、ＭｏｖｉｅＯｂｊｅｃｔ．ｂｄｍｖ（Ｅｍｐｔｙ）の記載「（Ｅｍｐｔｙ）」は、ファイルのサイズが０であることを示し、ファイルのサイズが０でないＭｏｖｉｅＯｂｊｅｃｔ．ｂｄｍｖファイルと区別している。
【０１０１】
このＢＤａには、既定再生補助情報として２つのファイルが記録されているが、ＭｏｖｉｅＯｂｊｅｃｔ．ｂｄｍｖのファイルサイズが０であることから、ＭｏｖｉｅＯｂｊｅｃｔ．ｂｄｍｖを解釈してもメニュー画面を生成することはできず、実際は、再生手段２０３がｈｈｈ．ｊａｒを解釈してメニュー画面を生成することになる。すなわち、このＢＤａを再生する場合、再生装置がＪａｖａの実行環境を有する場合にのみ、メニュー画面を表示できることになる。
【０１０２】
また、コンテンツ情報ａには、追加再生補助情報として、ＭｏｖｉｅＯｂｊｅｃｔ．ｂｄｍｖ（Ｎｅｗ）と、ｍｍｍ．ｊａｒ（Ｎｅｗ）が含まれる。ここで、ＭｏｖｉｅＯｂｊｅｃｔ．ｂｄｍｖ（Ｎｅｗ）の記載「（Ｎｅｗ）」は、コンテンツと同時にではなく、別個に、送受信手段２０８により取得された追加再生補助情報であることを示す。すなわち、ＭｏｖｉｅＯｂｊｅｃｔ．ｂｄｍｖ（Ｎｅｗ）は、送受信手段２０８が、ＢＤａに記録されていたＭｏｖｉｅＯｂｊｅｃｔ．ｂｄｍｖのファイルサイズが０であり、Ｊａｖａ実行環境のない再生装置ではメニュー画面の表示ができないことからコンテンツ配信装置１０３に対して再生補助情報を要求し、その要求に対する応答として取得した追加再生補助情報である。
【０１０３】
ここで、ｈｈｈ．ｊａｒによるメニュー画面は、一例として既に説明した図１１に示したものである。これに対し、ＭｏｖｉｅＯｂｊｅｃｔ．ｂｄｍｖ（Ｎｅｗ）によるメニュー画面の一例は、図１２に示す図である。このように、ＭｏｖｉｅＯｂｊｅｃｔ．ｂｄｍｖ（Ｎｅｗ）によるメニュー画面は、ｈｈｈ．ｊａｒによるメニュー画面よりも簡素であり、Ｊａｖａの実行環境といった高負荷でリッチな表示機構を有しない再生装置でも表示できるものである。
【０１０４】
また、ｍｍｍ．ｊａｒも、ＭｏｖｉｅＯｂｊｅｃｔ．ｂｄｍｖ（Ｎｅｗ）の場合と同様、コンテンツと同時にではなく、別個に、送受信手段２０８により取得された追加再生補助情報である。ｍｍｍ．ｊａｒは、コンテンツａａａ．ｍ２ｔｓについてはｈｈｈ．ｊａｒというＪａｖａ実行環境において実行できる既定再生補助情報が対応づけられているにもかかわらず、さらに、送受信手段２０８によって取得された、追加料金を払ったユーザに対する特典となるようなファイルである。ｍｍｍ．ｊａｒは、例えば、ｈｈｈ．ｊａｒよりもさらに高度なメニュー画面や、通常とは異なるプレミアム画像を含むといった特別なメニュー画面を表すような追加再生補助情報である。
【０１０５】
管理手段２１４は、同じフォーマットが使用されているコンテンツを一つのグループとして管理する。さらに、同じアプリケーションフォーマットのコンテンツに対して共通の利用条件を割り当てる。本実施形態では、一例として、メディア種別が同じコンテンツを、フォーマットが同じコンテンツとして管理している。例えば、ＨＤＤ２１７に記憶されている複数のコンテンツのうち、ＢＤＭＶフォーマットのもの（例えば、×××．ｍ２ｔｓの形式のもの）を一つのグループとして管理し、図１０に示す利用条件情報のうち、ＢＤに対応する利用条件（持ち出し回数を３回、再生可能期限を無期限とする）を割り当てる。また、ＢＤＭＶフォーマットの場合と同様に、ＳＤ−ＶＩＤＥＯフォーマットのもの（例えば、×××．ａｓｆの形式のもの)を一つのグループとして管理し、共通の利用条件を割り当てる。
【０１０６】
再生補助情報生成手段２１５は、送受信手段２０８が取得するのと同様の追加再生補助情報を生成する。この追加再生補助情報の生成は、送受信手段２０８により追加再生補助情報が取得されなかった場合に代替として行ってもよいし、送受信手段２０８により取得されるのとは別の追加再生補助情報を生成するものとしてもよい。また、送受信手段２０８により追加再生補助情報が確実に取得されるのであれば、再生補助情報生成手段２１５は、追加再生補助情報の生成を行わなくてもよい。再生補助情報生成手段２１５が生成する追加再生補助情報は、図１２に示すのと同程度のメニュー画面を表示するためのものである。
【０１０７】
制御手段２１６は、上記の各手段を管理・制御して、記録媒体からのコンテンツの読み出し／再生、ＨＤＤ２１７及び記録媒体へのコンテンツの記録、コンテンツ配信装置からのコンテンツの受信／再生などを実行する。また、ＨＤＤ２１７に記録されているコンテンツのうち再生可能なコンテンツ及び持ち出し可能なコンテンツのリストを示す画像などを表示手段２０４に表示させるような、表示制御も行う。
【０１０８】
１．３  再生装置１０８、再生装置１０９
再生装置１０８は、記録媒体１０６からコンテンツ、追加再生補助情報を読み出し、追加再生補助情報を用いてメニュー画面を表示し、コンテンツを再生する。
【０１０９】
図３は、再生装置１０８の構成を示すブロック図である。
【０１１０】
再生装置１０８は、図３に示すように、表示手段３０１、ユーザ入力受付手段３０２、属性情報保持手段３０３、再生補助情報確認手段３０４、送受信手段３０５、読出／記録手段３０６、再生手段３０７、制御手段３０８から構成される。
【０１１１】
表示手段３０１は、ディスプレイ及びその表示制御部（図示せず）を含む。表示手段３０１は、例えば、記録媒体１０６に記録されているコンテンツのリストなどをディスプレイに表示する。
【０１１２】
ユーザ入力受付手段３０２は、キーパッド（図示せず）等を用いユーザによって入力されるユーザ指示を取得し、制御手段３０８に通知する。ユーザ入力受付手段３０２は、例えば、表示手段３０１により表示される、読み出す記録媒体１０６
コンテンツのリストから１のコンテンツを選択するユーザ指示を受け付ける。
【０１１３】
属性情報保持手段３０３は、再生装置１０８が対応しているコンテンツのフォーマット、再生可能な既定再生補助情報、追加再生補助情報の種類などを示す属性情報を保持する。属性情報は、具体的には、ＢＤＭＶ、ＳＤ−ＶＩＤＥＯ、ＢＤ−Ｊ、ＨＤＭＶ各々のフォーマットへの対応可否や、ＪＡＶＡ実行環境その他の再生機構、表示機構の有無などを示す。
【０１１４】
再生補助情報確認手段３０４は、記録媒体１０６に記録されているコンテンツのうち、ユーザ入力受付手段３０２により受け付けられたユーザ指示により示されるコンテンツについて、記録媒体１０６に記録されている再生補助情報の種類と、属性情報保持手段３０３により保持された属性情報により示される再生補助情報の種類のいずれかと一致するか否かを判定する。
【０１１５】
一致する場合、そのコンテンツの再生補助情報を用いてメニュー表示ができると判定し、一致しない場合、メニュー表示ができないと判定する。
【０１１６】
メニュー表示できると判定された場合には、再生手段３０７によって、記録媒体１０６の所定の読み出し位置から再生補助情報が読み出され、処理されて、メニュー画面が生成されて表示手段２０４に表示される。利用できない場合は、表示手段２０１を通じて、「再生不可」などのエラーメッセージを表示する。
【０１１７】
読出／記録手段３０６は、記録媒体１０６に記録されているコンテンツ及び追加再生補助情報を読み出し、書き込みを行う。また、記録媒体１０６に記録されているコンテンツのリストを生成する。なお、再生装置１０８において、再生／記録装置１０５における暗号化手段２１１、復号手段２０９のような暗号、復号手段の構成については省略しているが、これらは読出／記録手段３０６に含まれ、暗号、復号を必要に応じて適宜行っているものとする。
【０１１８】
再生手段３０７は、読出／記録手段３０６により読み出されたコンテンツを再生する。このとき、再生手段３０７は、再生／記録装置１０５における再生手段２０３と同様に、
コンテンツの利用状況を示す利用状況情報を更新し、利用状況が利用条件を満たさなくなった場合には、コンテンツの利用を停止させる。また、再生手段３０７は、コンテンツの利用状況を示す利用状況情報が記録媒体１０６に記録されていない場合は記録し、また記録されている場合には更新する。利用状況情報は、耐タンパ性を有するように記録されるか、少なくとも改竄検出が可能なようデジタル署名を付加するなどして記録される。
【０１１９】
制御手段３０８は、上記各手段を管理・制御して、記録媒体からのコンテンツの読み出し／再生、記録媒体への再生補助情報の記録などを行う。
【０１２０】
なお、再生装置１０９については、再生装置１０８と同様の構成であるので、説明を省略する。
【０１２１】
２．動作
２．１．再生／記録装置１０５によるコンテンツのＨＤＤ２１７への蓄積
再生／記録装置１０５が、記録媒体１０４に記録されているコンテンツを、ＨＤＤ２１７に記録する動作について説明する。
【０１２２】
図４は、記録媒体１０４に記録されているコンテンツをＨＤＤ２１７に記録する処理を示すフローチャートである。
【０１２３】
まず、入出力手段２０１は、挿入されたディスクから、暗号化されたコンテンツ及び１以上の既定再生補助情報を読み出す（ステップＳ４０１）。
【０１２４】
保護方式決定手段２１０は、ＨＤＤ２１７に適用可能な著作権保護方式を決定し（ステップＳ４０２）する。ここでは、一例として、適用可能な著作権保護方式をＡＥＳ暗号と決定する。
【０１２５】
次に、復号手段２０９は、記録媒体１０４に適用されている著作権保護方式に基づいて保護されている暗号化コンテンツを復号する（ステップＳ４０３）。本実施の形態では、記録媒体１０４に記録されるコンテンツはＡＡＣＳ方式により暗号化されている。よって、復号手段２０９は、暗号化コンテンツをＡＡＣＳ方式により復号する。
【０１２６】
そして、暗号化手段２１１は、ステップＳ４０２で決定した著作権保護方式（ＡＥＳ暗号方式）に基づいて、復号手段２０９が復号したコンテンツを暗号化する（ステップＳ４０４）。次に、コンテンツの再生順序を示すだけの簡易な再生補助情報である追加再生補助情報を取得する（ステップＳ４０５）。ここで、追加再生補助情報の取得は、送受信手段２０８が外部（一例として、コンテンツ配信装置１０３）から受信する。或いは、再生補助情報生成手段２１５が、追加再生補助情報を生成することで取得してもよい。また、受信と生成の両方により、複数の追加再生補助情報を取得することとしてもよい。
【０１２７】
そして、蓄積手段２０２は、ステップＳ４０４で暗号化されたコンテンツと、既定再生補助情報と、追加再生補助情報とを全てＨＤＤ２１７に記録する（ステップＳ４０６）。
【０１２８】
フォーマット確認手段２１３は、ある定められたアプリフォーマット（例えば、ブルーレイディスクのアプリフォーマット）が使用されているか否かを確認する。使用されている場合には、管理手段２１４により管理される、そのアプリフォーマットを使用しているコンテンツのグループに追加し、共通の利用条件を割り当てる（ステップＳ４０７）。
【０１２９】
以後、このコンテンツを使用する場合には、一例として図１０に示した利用条件情報に係る利用条件を採用することになる。
【０１３０】
２．２．再生／記録装置１０５によるコンテンツの記録媒体への記録
再生／記録装置１０５が、ＨＤＤ２１７に記録されているコンテンツを記録媒体１０６又は記録媒体１０７に記録する動作について説明する。
【０１３１】
図５は、ＨＤＤ２１７に記録されているコンテンツを記録媒体に書き込む処理を示すフローチャートである。
【０１３２】
まず、表示手段２０１は、ＨＤＤ２１７に記録されているコンテンツの一覧を表示する。このとき、ユーザ入力受付手段２０６は、ユーザによる持ち出しを希望するコンテンツの選択（入力）を受け付ける（ステップＳ５０１）。
【０１３３】
次に、持ち出し可否判断手段２０７は、利用条件保持手段２０５で保持する各コンテンツの利用条件に従い、選択されたコンテンツが持ち出し可能か否かを判断する（ステップＳ５０２）。持ち出し可能と判断した場合、記録媒体識別手段２１２は、挿入されている記録媒体の種別を識別する。そして、保護方式決定手段２１０は、記録媒体識別手段２１２により識別された記録媒体記録媒体に適用可能な保護方式を決定する（ステップＳ５０３）。
【０１３４】
次に、復号手段２０９は、ＨＤＤ２１７に適用される保護方式に基づいて保護されている暗号化されたコンテンツを復号する（ステップＳ５０４）。
【０１３５】
暗号化手段２１１は、復号手段２０９により復号されたコンテンツを、ステップＳ５０３で決定した保護方式に基づいて暗号化する（ステップＳ５０５）。
【０１３６】
そして、蓄積手段２０２は、ステップＳ５０５で暗号化されたコンテンツに係る追加再生補助情報を、持ち出し用の記録媒体の所定の読み出し位置に入出力手段２０１を介して記録し、また、暗号化されたコンテンツと、そのコンテンツに係る再生補助情報（既定再生補助情報、追加再生補助情報）についても記録する（ステップＳ５０６）。
【０１３７】
２．３．記録媒体に記録されたコンテンツの再生装置１０８、再生装置１０９による再生
再生装置１０８が、記録媒体１０６に記録されているコンテンツを再生する動作について説明する。
【０１３８】
図６は、記録媒体１０６に記録されているコンテンツの再生処理を示すフローチャートである。
【０１３９】
まず、読出／記録手段３０６は、記録媒体１０６の所定の読み出し位置から、その読み出し位置に記録されている追加再生補助情報を読み出す（ステップＳ６０１）。
【０１４０】
次に、再生補助情報確認手段３０４は、読み出した追加再生補助情報の種類と、属性情報保持手段３０３で保持する対応する再生補助情報の種類を照らし合わせて、そのコンテンツの追加再生補助情報が利用し得るか否かを判断する（ステップＳ６０２）。
【０１４１】
利用し得ると判断した場合（ステップＳ６０３でＹｅｓ）、再生手段３０７が追加再生補助情報を解釈して追加メニュー画面を作成し表示手段３０１に表示させる（ステップＳ６０４）。この追加メニュー画面には、再生可能なコンテンツの一覧が表示されている。
【０１４２】
そして、ユーザ入力受付手段３０２は、ユーザによるコンテンツの選択（入力）を受け付け（ステップＳ６０５）、再生手段３０７が、選択されたコンテンツを再生する（ステップＳ６０６）。一方、ステップＳ６０３において、利用できないと判断した場合（ステップＳ６０３でＮｏ）、読出／記録手段３０６が記録媒体１０６において他の追加再生補助情報が記録されているか否か検索する（ステップＳ６０７）。検索により発見した場合(ステップＳ６０９がＹｅｓ）、発見した追加再生補助情報についてステップＳ６０２以降の処理を行う。検索により発見できなかった場合（ステップＳ６０８がＮｏ）、送受信手段３０５が外部（一例として、コンテンツ配信装置１０３）から自機に適した追加再生補助情報を取得する（ステップＳ６０９）。取得に成功した場合（ステップＳ６１０がＹｅｓ）、取得に成功した追加再生補助情報についてステップＳ６０２以降の処理を行う。取得に失敗した場合（ステップＳ６１０がＮｏ）、処理を終了する。
【０１４３】
（その他の変形例）
なお、本発明を上記実施の形態に基づいて説明してきたが、本発明は、上記実施の形態に限定されないのは、もちろんである。以下のような場合も本発明に含まれる。
【０１４４】
（１）再生／記録装置１０５における入出力手段２０１、蓄積手段２０２、再生手段２０３、表示手段２０４、利用条件保持手段２０５、ユーザ入力受付手段２０６、持ち出し可否判断手段２０７、送受信手段２０８、復号手段２０９、保護方式決定手段２１０、暗号化手段２１１、記録媒体識別手段２１２、フォーマット確認手段２１３、管理手段２１４、再生補助情報生成手段２１５、制御手段２１６等の各機能ブロックは、典型的には図７に示すように集積回路であるＬＳＩとして実現される。これらは個別に１チップ化されても良いし、１以上の手段、又は各手段の一部を含むように１チップ化されてもよい。
【０１４５】
再生装置１０８、再生装置１０９における表示手段３０１、ユーザ入力受付手段３０２、属性情報保持手段３０３、再生補助情報確認手段３０４、送受信手段３０５、読出／記録手段３０６、再生手段３０７、制御手段３０８等の各機能ブロックについても、上述の再生／記録装置１０５の各機能ブロックと同様である。
【０１４６】
（２）再生装置１０８に関し、再生補助情報確認手段３０４において、読み出し対象である記録媒体に記録されている再生補助情報が利用できないと判定された場合、利用可能な再生補助情報をコンテンツ配信装置１０３から受信することとしてもよい。
【０１４７】
例えば、再生装置１０８について、属性情報保持手段３０３に記憶されている属性情報が、ＨＤＭＶのみに対応することを示し、一方、ユーザ指示で選択されたコンテンツについては、ＢＤ−Ｊによる再生補助情報のみが記録されていた場合に、送受信手段３０５を介しＨＤＭＶの再生補助情報を受信し、再生に利用すると共に、読出／記録手段３０６を介して、記録媒体１０６又は記録媒体１０７に記録するとしてもよい。
【０１４８】
（３）上記実施の形態では、再生／記録装置が、同一のアプリケーションフォーマットを使用するコンテンツを同一のグループとして管理する構成としたが、本発明はこの構成に限定されるものではない。例えば、アプリケーションフォーマット以外にも、ユーザが視覚的に認知できるデータや形式（メニュー画面の構成やユーザインターフェースなど）が同一のものは、同じグループとして管理し、ユーザが視覚的に認知できないデータや形式（著作権保護に使用する暗号アルゴリズムや鍵のビット長など）は、個々に最適なもの、又は適用可能なものを選択して利用する形態であってもよい。
【０１４９】
（４）上記実施の形態では、再生／記録装置１０５が、記録媒体１０４からコンテンツを読み出し、ＨＤＤ２１７に記録する際に、簡易な再生補助情報を生成する構成としたが、本発明はその構成に限定されるものではない。記録媒体１０６、又は記録媒体１０７でコンテンツを持ち出す際に、簡易な再生補助情報を生成する構成としてもよい。また、ユーザ入力受付手段２０６を用いてユーザ指示を受け付けて、ユーザ指示に基づき再生補助情報を生成する構成であってもよい。
【０１５０】
（５）再生／記録装置１０５は、記録媒体１０６、又は記録媒体１０７を用いてコンテンツを持ち出す際に、ユーザ入力受付手段２０６を用いてユーザ指示を受け付けて、ユーザ指示に基づき再生補助情報を取得する構成であってもよい。
【０１５１】
（６）上記実施の形態では、再生／記録装置１０５は、記録媒体１０４に記録されているコンテンツをそのままＨＤＤ２１７に記録する構成としたが、その構成に限定されるものではない。例えば、コンテンツをＨＤＤ２１７に記録する際に、コンテンツのビットレートや解像度を調節するためにコンテンツの再エンコードを行ってから記録する構成であってもよい。また、コンテンツの本編が複数ファイルにまたがる場合に、それを一つのファイルにまとめる加工／編集を行う構成としてもよい。
【０１５２】
（７）上記実施の形態では、再生／記録装置１０５が、記録媒体１０４に記録されたコンテンツを読み出してＨＤＤ２１７に記録する構成としたが、これに限らない。例えば、記録媒体１０４に記録されたコンテンツを読み出し、内蔵するＨＤＤ２１７に限らず、外付けのＨＤＤや、光ディスクやフラッシュメモリーなどの可搬媒体に直接記録する構成としてもよい。
【０１５３】
（８）上記実施の形態では、再生／記録装置１０５の管理手段２１４が、同一のアプリケーションフォーマットを使用するグループに対して一つの利用条件を割り当てる構成としたが、本発明はその構成に限定されるものではない。同一のアプリケーションフォーマットを利用するコンテンツのグループであっても、コンテンツそれぞれに独自の利用条件を設定してもよいし、ある特定のコンテンツに対してのみ、例外的に異なる利用条件を割り当てる構成としてもよい。
【０１５４】
また、複数のアプリケーションフォーマットのうちのいくつかを１つのグループとして管理してもよいし、アプリケーションフォーマットによらず全てのコンテンツを１つのグループとして管理し、同一の利用条件（持ち出し可否、持ち出し回数、コピー回数、移動可否、リモート再生の可否、再生期限等々）を付すこととしてもよい。
【０１５５】
（９）上記実施の形態では、再生／記録装置１０５、再生装置１０８、再生装置１０９が、コンテンツ全てのリストを表示し、リストを見て行われるユーザ指示により選択されたコンテンツの持ち出し可否、再生可否を確認、判断する構成としたが、これに限定されるものではない。例えば、ユーザがコンテンツの持ち出しを行う場合（ユーザ操作により持ち出し指示が入力された場合）は、持ち出し可能コンテンツのみを表示してもよい。また、コンテンツの再生を行う場合（ユーザ操作により再生可能なコンテンツのリストを表示する旨の指示がされた場合）は、再生可能なコンテンツのみを表示したりする構成であってもよい。また、全てのコンテンツのリストを表示する場合であっても、持ち出し可能コンテンツ、あるいは再生可能コンテンツを視覚的に認知可能な状態で（例えば、色づけしたり、アイコンを付けたりするなどして）表示する構成であってもよい。
【０１５６】
（１０）上記実施の形態では、再生／記録装置１０５が、記録媒体１０６、記録媒体１０７を用いてコンテンツを持ち出す場合に、全ての再生補助情報を記録して持ち出す構成としたが、本発明はその構成に限定されるものではない。記録媒体１０６、記録媒体１０７を用いてコンテンツを持ち出す際に、表示手段２０４、ユーザ入力受付手段２０６によりユーザ操作による指示を受け付け、ユーザが指示する再生補助情報のみを記録して持ち出す構成としてもよい。
【０１５７】
（１１）上記実施の形態に加え、ある特定のアプリケーションフォーマット（例えばブルーレイディスクのアプリケーションフォーマット）を利用していないコンテンツを、記録媒体経由、又はネットワーク経由で取得した場合に、アプリケーションフォーマットをある特定のアプリケーションフォーマット（例えばブルーレイディスクのアプリケーションフォーマット）に変換して記録したり、変換後に利用する再生補助情報を別途（例えば、ネットワーク経由で）取得したりする構成であってもよい。
【０１５８】
（１２）上記実施の形態に加え、再生／記録装置、再生装置が、複数の再生補助情報に対応している場合は（例えば、ブルーレイディスクのＢＤ−Ｊ、ＨＤＭＶの両方）、あらかじめ定められた優先度に基づいて、装置が自動的に利用する再生補助情報を判断する構成であってもよい。例えば、再生装置がＢＤ−ＪとＨＤＭＶの両方に対応しており、記録媒体にもその両方の再生補助情報が存在する場合に、より高度で多彩なＢＤ−Ｊの利用が、あらかじめ高い優先度として定められていれば、ＢＤ−Ｊを自動的に選択して利用する構成となる。また、表示手段、ユーザ入力受付手段を利用してユーザの指示を仰ぎ、ユーザが指示する再生補助情報を利用して再生する構成であってもよい。
【０１５９】
（１３）上記実施の形態では、再生／記録装置が、保護方式決定手段が決定した保護方式に基づいて暗号化処理を施す構成としたが、本発明はこの構成に限定されるものではない。暗号化手段、復号手段を含む著作権保護方式変換手段を設け、著作権保護方式変換手段が、保護方式決定手段の決定に基づき、内蔵するＨＤＤ、又はコンテンツを記録する記録媒体に適用する著作権保護方式へと変換する構成であってもよい。
【０１６０】
（１４）上記実施の形態では、１つの装置が複数の機能（構成要素）を持つ構成としたが、本発明はこの構成に限定されるものではない。各機能（構成要素）が複数の装置に分かれ、それらの組み合わせにより同様の効果や機能が実現される場合も本発明に含まれる。
【０１６１】
（１５）上記の各装置は、具体的には、マイクロプロセッサ、ＲＯＭ、ＲＡＭ、ハードディスクユニット、ディスプレイユニット、キーボード、マウスなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、各装置は、その機能を達成する。ここで、コンピュータプログラムは、所定の機能を達成するために、コンピュータに対する指令を示す命令コードが複数個組み合わされて構成されたものである。
【０１６２】
なお、各装置は、マイクロプロセッサ、ＲＯＭ、ＲＡＭ、ハードディスクユニット、ディスプレイユニット、キーボード、マウスなどの全てを含むコンピュータシステムに限らず、これらの一部から構成されているコンピュータシステムであってもよい。
【０１６３】
（１６）上記の各装置を構成する構成要素の一部又は全部は、構成要素の機能を実現する回路で構成し、若しくは、構成要素の機能を実現するプログラムとそのプログラムを実行するプロセッサとで構成し、又は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムに従って動作することにより、システムＬＳＩは、その機能を達成する。これらは個別に１チップ化されても良いし、一部又は全てを含むように１チップ化されても良い。
【０１６４】
また、ここでは、システムＬＳＩとしたが、集積度の違いにより、ＩＣ、システムＬＳＩ、スーパーＬＳＩ、ウルトラＬＳＩと呼称されることもある。
【０１６５】
また、集積回路化の手法はＬＳＩに限るものではなく、専用回路又は汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【０１６６】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１６７】
（１７）上記の各装置を構成する構成要素の一部又は全部は、各装置に脱着可能なＩＣカード又は単体のモジュールから構成されているとしてもよい。前記ＩＣカード又は前記モジュールは、マイクロプロセッサ、ＲＯＭ、ＲＡＭ、などから構成されるコンピュータシステムである。前記ＩＣカード又は前記モジュールは、上記の超多機能ＬＳＩを含むとしてもよい。マイクロプロセッサが、コンピュータプログラムに従って動作することにより、前記ＩＣカード又は前記モジュールは、その機能を達成する。このＩＣカード又はこのモジュールは、耐タンパ性を有するとしてもよい。
【０１６８】
（１８）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【０１６９】
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【０１７０】
また、本発明は、前記コンピュータプログラム又は前記デジタル信号を、電気通信回線、無線又は有線通信回線、インターネットを代表とするネットワーク、データ放送等を経由して伝送するものとしてもよい。
【０１７１】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
【０１７２】
（１９）上記実施の形態及び上記変形例をそれぞれ組み合わせるとしてもよい。
【産業上の利用可能性】
【０１７３】
本発明にかかるコンテンツ提供システム、記録装置、及び記録方法は、デジタルコンテンツをユーザへ供給する産業、デジタルコンテンツを受信する装置、再生する装置を製造する製造業、デジタルコンテンツを受信、又は再生する装置を販売する販売業において有用である。
【符号の説明】
【０１７４】
１０１  コンテンツ制作装置
１０２  ディスク製造装置
１０３  コンテンツ配信装置
１０４  記録媒体
１０５  再生／記録装置
１０６  記録媒体
１０７  記録媒体
１０８  再生装置
１０９  再生装置
【図１】
2011129081.tif 000003
【図２】
2011129081.tif 000004
【図３】
2011129081.tif 000005
【図４】
2011129081.tif 000006
【図５】
2011129081.tif 000007
【図６】
2011129081.tif 000008
【図７】
2011129081.tif 000009
【図８】
2011129081.tif 000010
【図９】
2011129081.tif 000011
【図１０】
2011129081.tif 000012
【図１１】
2011129081.tif 000013
【図１２】
2011129081.tif 000014
【手続補正書】
【提出日】平成23年12月14日(2011.12.14)
【手続補正１】
【補正対象書類名】特許請求の範囲
【補正対象項目名】全文
【補正方法】変更
【補正の内容】
【特許請求の範囲】
【請求項１】
コンテンツと、前記コンテンツを再生するための既定のメニュー画面を表す第１の再生補助情報とを記録媒体に記録するコンテンツ記録装置であって、
前記コンテンツと、前記第１の再生補助情報を取得するコンテンツ取得手段と、
前記コンテンツを再生するための、前記第１の再生補助情報に係る表示機構とは別の表示機構により表示されるメニュー画面を表す第２の再生補助情報を、サーバ装置に対し要求し、前記要求に対する応答として、前記サーバ装置から前記第２の再生補助情報を受信する再生補助情報取得手段と、
前記記録媒体に、前記コンテンツ及び前記第１の再生補助情報を書き込み、さらに、前記サーバ装置から受信した前記第２の再生補助情報を書き込む書込手段と
を備えることを特徴とするコンテンツ記録装置。
【請求項２】
前記第２の再生補助情報に係るメニュー画面の表示処理負荷は、前記第１の再生補助情報に係るメニュー画面の表示処理負荷よりも軽い
ことを特徴とする請求項１記載のコンテンツ記録装置。
【請求項３】
前記第１の再生補助情報により表されるメニュー画面は、前記第２の再生補助情報により表されるメニュー画面よりも対話性が高く、
前記第２の再生補助情報により表されるメニュー画面は、再生可能なコンテンツの一覧を表示し、前記一覧から１のコンテンツの選択を受け付けるものであり、選択されたコンテンツを非対話的に再生させる
ことを特徴とする請求項２記載のコンテンツ記録装置。
【請求項４】
前記再生補助情報取得手段は、前記第２の再生補助情報を生成することにより取得する
ことを特徴とする請求項１記載のコンテンツ記録装置。
【請求項５】
前記再生補助情報取得手段は、さらに、１以上の再生補助情報を取得し、
前記コンテンツ記録装置は、さらに、
前記コンテンツ取得手段と前記再生補助情報取得手段により取得された全ての再生補助情報の一覧をリストとして表示する表示手段と、
前記リストから、前記記録媒体に書き込む１以上の再生補助情報を指定するユーザ指示を受け付ける受付手段とを備え、
前記書込手段は、さらに、前記選択された再生補助情報を前記記録媒体に書き込む
ことを特徴する請求項１記載のコンテンツ記録装置。
【請求項６】
前記コンテンツ取得手段は、さらに、１以上のコンテンツを取得し、
前記コンテンツ記録装置は、さらに、
取得された前記コンテンツのフォーマットを確認するフォーマット確認手段と、
同一フォーマットのコンテンツについて、各コンテンツに利用条件が付されていたか否かに関わらず、１の利用条件に統一して管理する管理手段と
を備えることを特徴とする請求項１記載のコンテンツ記録装置。
【請求項７】
コンテンツと、前記コンテンツを再生するための既定のメニュー画面を表す第１の再生補助情報とを記録媒体に記録するコンテンツ記録方法であって、
前記コンテンツと、前記第１の再生補助情報を取得するコンテンツ取得ステップと、
前記コンテンツを再生するための、前記第１の再生補助情報に係る表示機構とは別の表示機構により表示されるメニュー画面を表す第２の再生補助情報を、サーバ装置に対し要求し、前記要求に対する応答として、前記サーバ装置から前記第２の再生補助情報を受信する再生補助情報取得ステップと、
前記記録媒体に、前記コンテンツ及び前記第１の再生補助情報を書き込み、さらに、前記サーバ装置から受信した前記第２の再生補助情報を書き込む書込ステップと
を含むことを特徴とするコンテンツ記録方法。
【請求項８】
コンテンツと、前記コンテンツを再生するための既定のメニュー画面を表す第１の再生補助情報とを記録媒体に記録するコンテンツ記録装置に用いられるコンテンツ記録プログラムであって、
前記コンテンツと、前記第１の再生補助情報を取得するコンテンツ取得ステップと、
前記コンテンツを再生するための、前記第１の再生補助情報に係る表示機構とは別の表示機構により表示されるメニュー画面を表す第２の再生補助情報を、サーバ装置に対し要求し、前記要求に対する応答として、前記サーバ装置から前記第２の再生補助情報を受信する再生補助情報取得ステップと、
前記記録媒体に、前記コンテンツ及び前記第１の再生補助情報を書さ込み、さらに、前記サーバ装置から受信した前記第２の再生補助情報を書き込む書込ステップと
を含むことを特徴とするコンテンツ記録プログラム。
【請求項９】
コンテンツと、前記コンテンツを再生するための既定のメニュー画面を表す第１の再生補助情報とを記録媒体に記録するコンテンツ記録装置に用いられるコンテンツ記録プログラムを記憶するコンピュータ読み出し可能な記録媒体であって、
前記コンテンツ記録プログラムは、
前記コンテンツと、前記第１の再生補助情報を取得するコンテンツ取得ステップと、
前記コンテンツを再生するための、前記第１の再生補助情報に係る表示機構とは別の表示機構により表示されるメニュー画面を表す第２の再生補助情報を、サーバ装置に対し要求し、前記要求に対する応答として、前記サーバ装置から前記第２の再生補助情報を受信する再生補助情報取得ステップと、
前記記録媒体に、前記コンテンツ及び前記第１の再生補助情報を書き込み、さらに、前記サーバ装置から受信した前記第２の再生補助情報を書き込む書込ステップと
を含むことを特徴とする記録媒体。
【請求項１０】
コンテンツと、前記コンテンツを再生するための既定のメニュー画面を表す第１の再生補助情報とを記録媒体に記録する集積回路であって、
前記コンテンツと、前記第１の再生補助情報を取得するコンテンツ取得手段と、
前記コンテンツを再生するための、前記第１の再生補助情報に係る表示機構とは別の表示機構により表示されるメニュー画面を表す第２の再生補助情報を、サーバ装置に対し要求し、前記要求に対する応答として、前記サーバ装置から前記第２の再生補助情報を受信する再生補助情報取得手段と、
前記記録媒体に、前記コンテンツ及び前記第１の再生補助情報を書き込み、さらに、前記サーバ装置から受信した前記第２の再生補助情報を書き込む書込手段と
を備えることを特徴とする集積回路。
【請求項１１】
コンテンツ記録装置と、再生装置とから成るコンテンツ記録再生システムであって、
前記コンテンツ記録装置は、
前記コンテンツと、前記コンテンツを再生するための既定のメニュー画面を表す第１の再生補助情報を取得するコンテンツ取得手段と、
前記コンテンツを再生するための、前記第１の再生補助情報に係る表示機構とは別の表示機構により表示されるメニュー画面を表す第２の再生補助情報を、サーバ装置に対し要求し、前記要求に対する応答として、前記サーバ装置から前記第２の再生補助情報を受信する再生補助情報取得手段と、
前記記録媒体に、前記コンテンツ及び前記第１の再生補助情報を書き込み、さらに、前記サーバ装置から受信した前記第２の再生補助情報を書き込む書込手段と
を備え、
前記再生装置は、前記別の表示機構を備え、前記記録媒体から前記第２の再生補助情報を読み出して、読み出した第２の再生補助情報により表されるメニュー画面を表示する
ことを特徴とするコンテンツ記録再生システム。
【国際調査報告】
2011129081.tif 000015
2011129081.tif 000016
2011129081.tif 000017
2011129081.tif 000018